(57)【要約】【課題】光源の輝度を高くしなくとも十分な輝度で発光させることができる発光装置を提供する。【解決手段】ブラックライトと、一端部３１に光を照射すると側面部から側面散乱光を放出し、他端部３２から照射光４３を放出する導光樹脂線３０とを備え、ブラックライトは、導光樹脂線３０の一端部３１に光を照射可能に設けられ、導光樹脂線３０の他端部３２は、照射光４３を蛍光部材６０に放出可能に設けられている。また、他端部３２は、蛍光部材６０の表面に対して非平行な方向に照射光４３を放出するように設けられている。【選択図】図１
2020198267.tif 000002
【特許請求の範囲】
【請求項１】
光源と、
一端部に光を照射すると側面部から側面散乱光を放出し、他端部から照射光を放出する線状発光体と、
を備え、
前記光源は、前記線状発光体の前記一端部に光を照射可能に設けられ、
前記線状発光体の前記他端部は、前記照射光を被照射物に放出可能に設けられている発光装置。
【請求項２】
前記線状発光体の前記他端部は、前記被照射物の表面に対して非平行な方向に前記照射光を放出する請求項１に記載の発光装置。
【請求項３】
前記線状発光体の前記他端部は、前記被照射物の表面に対して平行な方向に前記照射光を放出する請求項１に記載の発光装置。
【請求項４】
前記被照射物は、蓄光塗料、蛍光塗料又は蓄光蛍光塗料のいずれかを有する請求項１〜３のいずれか一項に記載の発光装置。
【請求項５】
前記光源はＬＥＤであって、前記被照射物は前記ＬＥＤの発光する波長の光を蓄光する蓄光塗料を有する請求項１〜３のいずれか一項に記載の発光装置。
【請求項６】
請求項１〜５のいずれか一項に記載の発光装置を備える視線誘導装置。
【請求項７】
請求項１〜５のいずれか一項に記載の発光装置を備える非破壊検査装置であって、
前記被照射物は検査対象物であって、
前記線状発光体の前記他端部から前記検査対象物に光を照射し、前記検査対象物を観察することで前記検査対象物の状態を検査する非破壊検査装置。
【請求項８】
請求項１〜５のいずれか一項に記載の発光装置を備える非破壊検査方法であって、
前記被照射物は検査対象物であって、
前記線状発光体の前記他端部から前記検査対象物に光を照射し、前記検査対象物を観察することで前記検査対象物の状態を検査する非破壊検査方法。
【発明の詳細な説明】
【技術分野】
【０００１】
この発明は、発光装置、視線誘導装置、非破壊検査装置及び非破壊検査方法に関する。
【背景技術】
【０００２】
特許文献１に示すように、線状の導光樹脂線の一端部から光を入射し、入射した光の一部を導光樹脂線の側面から出すことにより発光する導光樹脂線が知られている。
【０００３】
また特許文献２に示すように、そのような導光樹脂線を道路の路肩や上下線の区分を示すガードケーブルに使用されるワイヤロープに取付けて発光させ、ワイヤロープの視認性を高める構成が知られている。
【０００４】
ワイヤロープの視認性を高める場合には、例えば等間隔に設けられたワイヤロープの支柱毎に光源を設け、光源によりワイヤロープに取付けられた導光樹脂線の一端部に光を照射して発光させる。
【先行技術文献】
【特許文献】
【０００５】
【特許文献１】特開２０００−３３８３３０号公報
【特許文献２】特開２００２−１５５４８０号公報
【発明の概要】
【発明が解決しようとする課題】
【０００６】
しかしながら、導光樹脂線の発光輝度は、光源から距離が離れるに従って低下する。そのため、ワイヤロープに取付けられた導光樹脂線を発光させて、道路通行者の視線を誘導する視線誘導装置として用いる場合には、ワイヤロープの全長において導光樹脂線を一端部から他端部まで十分な輝度で光らせるために、光源の輝度を高くしなくてはならないという問題点があった。
【０００７】
この発明は、このような課題を解決するためになされたものであり、光源の輝度を高くしなくとも視線誘導装置を十分な輝度で発光させることができる発光装置を提供することを目的とする。
【課題を解決するための手段】
【０００８】
上記の課題を解決するために、この発明に係る発光装置は、光源と、一端部に光を照射すると側面部から側面散乱光を放出し、他端部から照射光を放出する線状発光体とを備え、光源は、線状発光体の一端部に光を照射可能に設けられ、線状発光体の他端部は、照射光を被照射物に放出可能に設けられている。
【０００９】
また、線状発光体の他端部は、被照射物の表面に対して非平行な方向に照射光を放出してもよい。
また、線状発光体の他端部は、被照射物の表面に対して平行な方向に照射光を放出してもよい。
また、被照射物は、蓄光塗料、蛍光塗料又は蓄光蛍光塗料のいずれかを有してもよい。
また、光源はＬＥＤであって、被照射物はＬＥＤの発光する波長の光を蓄光する蓄光塗料を有してもよい。
【００１０】
また、上記の課題を解決するために、この発明に係る視線誘導装置は上記発光装置を備えていてもよい。
【００１１】
また、上記の課題を解決するために、この発明に係る非破壊検査装置及び非破壊検査方法は上記発光装置を備える非破壊検査装置及び非破壊検査方法であって、被照射物は検査対象物であって、線状発光体の他端部から検査対象物に光を照射し、検査対象物を観察することで検査対象物の状態を検査してもよい。
【発明の効果】
【００１２】
この発明に係る発光装置、視線誘導装置、非破壊検査装置及び非破壊検査方法は、光源と、一端部に光を照射すると側面部から側面散乱光を放出し、他端部から照射光を放出する線状発光体とを備え、光源は、線状発光体の一端部に光を照射可能に設けられ、線状発光体の他端部は、照射光を被照射物に放出可能に設けられているので、光源の輝度を高くしなくとも視線誘導装置を十分な輝度で発光させることができる発光装置を提供することができる。
【図面の簡単な説明】
【００１３】
【図１】この発明の実施の形態１に係る発光装置を有する視線誘導装置の概略図である。
【図２】図１に示す導光樹脂線の概略図である。
【図３】図２に示す導光樹脂線の長手方向から見た断面図である。
【図４】図１に示す取付部材の側面図である。
【図５】図２に示す導光樹脂線の径方向から見た断面図である。
【図６】この発明の実施の形態２に係る視線誘導装置の概略図である。
【図７Ａ】図６に示すワイヤロープ支柱への導光樹脂線の取付状態を示す概略図である。
【図７Ｂ】図７Ａに示すワイヤロープ支柱への導光樹脂線の取付状態を示す概略図である。
【図８】図６に示すガイド部材の概略図である。
【図９】図６に示すワイヤロープ支柱へのガイド部材の取付状態を示す平面図である。
【図１０】この発明の実施の形態２に係る視線誘導装置の概略図である。
【図１１】図６に示す視線誘導装置を有する防護柵の概略図である。
【図１２】この発明の実施の形態３に係る視線誘導装置を有する防護柵の概略図である。
【図１３】この発明の実施の形態４に係る視線誘導装置の概略図である。
【図１４Ａ】図１３に示すスノーポールの上部を示す概略図である。
【図１４Ｂ】図１３に示すスノーポールへの導光樹脂線の取付状態を示す概略図である。
【図１５】図１３に示すスノーポールの設置例を示す概略図である。
【図１６】この発明の実施の形態５に係る視線誘導装置の概略図である。
【図１７】この発明の実施の形態６に係る非破壊検査装置の概略図である。
【発明を実施するための形態】
【００１４】
実施の形態１．
以下、この発明の実施の形態１について添付図面に基づいて説明する。
図１に示すように、道路上の車道及び歩道、車道及び路肩、又は車道の上下線等を区分するガードレール２０は、長手方向に沿って延びるように形成された凹部２１を有している。凹部２１の、路面に対して略垂直な垂直面２１ａには蛍光部材６０が設けられている。蛍光部材６０は、紫外線を照射すると蛍光を発する蛍光塗料を薄い樹脂シートに塗布したものである。蛍光部材６０は、被照射物を構成している。
【００１５】
凹部２１には道路通行者に対する視線誘導装置１００に用いられる発光装置１０が設けられている。発光装置１０は、線状の導光樹脂線３０をガードレール２０の長手方向に沿うように平行に３本並べることにより構成されている。これにより、導光樹脂線３０の側面部３５（図２参照）と蛍光部材６０とは対向している。また、導光樹脂線３０は、取付部材２３により凹部２１に取付けられている。
【００１６】
ガードレール２０を支持するガードレール支柱２２の上部には太陽電池モジュール５０が設けられている。太陽電池モジュール５０は、太陽電池モジュール５０の発電した電力により充電される図示しないバッテリに接続されている。バッテリは、図示しない点灯制御装置に接続されている。点灯制御装置は、導光樹脂線３０の一端部３１を照射可能に設けられた後述するブラックライトに接続されている。点灯制御装置は照度センサ又はタイマを有しており、バッテリの電力をブラックライトに供給するとともにブラックライトの点灯及び消灯の制御を行う。
【００１７】
図２は導光樹脂線３０の概略図である。導光樹脂線３０の一端部３１を照射可能に設けられたブラックライト４０からは、主に紫外線領域の波長の光４１が照射される。光４１が導光樹脂線３０の一端部３１へ入ると、導光樹脂線３０の側面から光４１の一部が側面散乱光４２として放出されて照射される。そして側面散乱光４２として照射されなかった光は導光樹脂線３０の他端部３２から照射光４３として放出されて照射される。また、ブラックライト４０は光源を構成しており、導光樹脂線３０は線状発光体を構成している。
【００１８】
図３は、導光樹脂線３０を長手方向に対して垂直な面に沿って切断した断面図である。導光樹脂線３０は円形の断面を有している。また導光樹脂線３０は、径方向外側部にフッ素系樹脂で構成されたクラッド３３と、径方向内側部にアクリル系樹脂で構成されたコア３４とを有している。
【００１９】
図４は、図１に示す取付部材２３を説明する図である。取付部材２３は、ガードレール２０（図１参照）の長手方向に概ね沿って縦３列及び横３列に形成された、合計９個の第１〜第９取付穴２４ａ〜２４ｉを有している。各取付穴は、ガードレール２０に取付部材２３を取付けたときに、ガードレール２０の凹部２１の有する垂直面２１ａから、最も遠い側の取付穴が上方から順に２４ａ，２４ｂ，２４ｃであり、２番目に遠い側の取付穴が上方から順に２４ｄ，２４ｅ，２４ｆであり、３番目に遠い側、すなわち垂直面２１ａに対して最も近い側の取付穴が上方から順に２４ｇ，２４ｈ，２４ｉとして構成されている。第１〜第９取付穴２４ａ〜２４ｉは、導光樹脂線３０の直径よりもわずかに大きく形成されている。
【００２０】
再度図１を参照して説明すると、ガードレール支柱２２に最も近い１番目の取付部材２３において、３本の導光樹脂線３０のうち上から１本目の導光樹脂線３０の一端部３１は第１取付穴２４ａに挿入されている。また、３本の導光樹脂線のうち上から２本目の導光樹脂線３０の一端部３１は第２取付穴２４ｂに挿入されている。さらに、３本の導光樹脂線のうち上から３本目の導光樹脂線３０の一端部３１は第３取付穴２４ｃに挿入されている。
【００２１】
次にガードレール支柱２２から２番目の取付部材２３において、上から１本目の導光樹脂線３０は第４取付穴２４ｄに挿入されている。また、上から２本目の導光樹脂線３０は第５取付穴２４ｅに、上から３本目の導光樹脂線３０は第６取付穴２４ｆに挿入されている。
【００２２】
次にガードレール支柱２２から３番目の取付部材２３において、上から１本目の導光樹脂線３０の他端部３２は第７取付穴２４ｇに挿入されている。また、上から２本目の導光樹脂線３０の他端部３２は第８取付穴２４ｈに挿入されている。さらに、上から３本目の導光樹脂線３０の他端部３２は第９取付穴２４ｉに挿入されている。
【００２３】
これにより、導光樹脂線３０は、ガードレール２０の垂直面２１ａ及び蛍光部材６０に対して非平行に、浅い角度を有して配置され、且つ一端部３１よりも他端部３２の方が垂直面２１ａ及び蛍光部材６０に近くなるように配置される。したがって、一端部３１より導光樹脂線３０に光を照射したときに他端部３２は照射光４３を蛍光部材６０に照射可能に配置されており、照射光４３は、蛍光部材６０に浅い角度がついた状態で照射される。
【００２４】
次に、実施の形態１に係る発光装置１０の動作について説明する。
図１に示すように、太陽電池モジュール５０は昼間の日照時に太陽光により発電し、図示しないバッテリを充電する。図示しない点灯制御装置は照度センサにより周囲の明るさがあらかじめ決められた閾値以下となるか、又はタイマにより所定の時刻となったことを検出することで、周囲が暗くなったことを検出する。周囲が暗くなったことを検出すると、次に点灯制御装置はバッテリから図示しないブラックライト４０（図２参照）へ電力を供給して、ブラックライト４０を点灯状態にする。
【００２５】
ここで、この実施の形態１では、点灯状態とは実際にはブラックライトに断続的に電力を供給して点滅させる制御をしている状態をいう。天候等の理由により昼間に太陽電池モジュール５０への日照が十分に得られない場合がありうることを想定して、ブラックライト４０を点滅させることにより、連続して点灯させるよりも消費電力を低減してバッテリの電力を節約するためにこのような制御が行われる。なお、バッテリの電力に余裕がある場合や、道路管理者が発光装置１０の視認性をより向上させたい場合等には、点灯状態における制御をブラックライト４０を連続して点灯させる制御としてもよい。
【００２６】
図２に示すようにブラックライト４０を点灯状態にすると、導光樹脂線３０に主に紫外線領域の波長の光４１が照射される。図５は導光樹脂線３０を長手方向に沿って切断した断面図である。図５に示すように光４１を一端部３１に入射すると、コア３４内を進行する光４１のうちの一部の光４５がクラッド３３とコア３４との境界面で反射し、他端部３２に届く前に光４５の一部である主に紫外線領域の波長の側面散乱光４２が導光樹脂線３０の側部より照射される。また、側面散乱光４２とならなかった光は、クラッド３３とコア３４との境界面での反射を繰り返して導光樹脂線３０の他端部３２に到達し、他端部３２から主に紫外線領域の波長の照射光４３として照射される。
【００２７】
図１に示すようにガードレール２０の凹部２１の垂直面２１ａに設けられた蛍光部材６０は、発光装置１０の導光樹脂線３０から側面散乱光４２が照射されることにより側面散乱光４２を受けて蛍光を発する。また蛍光部材６０は、導光樹脂線３０の他端部３２から照射光４３が照射されることによっても蛍光を発する。このため、蛍光部材６０の発する蛍光を道路通行者の視線誘導に利用することにより、発光装置１０を有する視認性の高い視線誘導装置１００を利用することができる。
【００２８】
このとき導光樹脂線３０のコア３４内を進行する光４５（図５参照）は、進行にしたがい側面散乱光４２として徐々に散乱し又は減衰していく。ゆえに光源であるブラックライト４０からの距離が離れるにしたがって、側面散乱光４２の輝度が低下する。そのため、仮に蛍光部材６０の全長に導光樹脂線３０を延ばし側面散乱光４２により蛍光を発光させた場合、ブラックライト４０から離れた位置では蛍光の輝度が低下し視認性が不十分となる。
【００２９】
一方、他端部３２から照射される照射光４３は側面散乱光４２として散乱しなかった光であるため、比較的高い輝度を有する。そのため、他端部３２付近において側面散乱光４２により蛍光部材６０が発する蛍光の輝度に対して、照射光４３が照射されることにより蛍光部材６０が発する蛍光は比較的高い輝度となる。また導光樹脂線３０は、蛍光部材６０の表面に対して浅い角度を有して配置されているため、他端部３２から照射光４３が蛍光部材６０の表面に対して斜めに放出される。これにより、他端部３２から広い範囲の蛍光部材６０が照射されるため、蛍光部材６０が発する蛍光の視認性が向上する。
【００３０】
このように、ブラックライト４０と、一端部３１に光４１を照射すると側面部３５から側面散乱光４２を放出し、他端部３２から照射光４３を放出する導光樹脂線３０とを備え、ブラックライト４０は、導光樹脂線３０の一端部３１に光４１を照射可能に設けられ、導光樹脂線３０の他端部３２は、照射光４３を蛍光部材６０に放出可能に設けられているため、発光装置１０はブラックライト４０の輝度を高くしなくとも蛍光部材６０を十分な輝度で発光させることができる。
【００３１】
また、導光樹脂線の他端部３２は、蛍光部材６０の表面に対して非平行な方向に照射光４３を放出しているため、広い範囲の蛍光部材６０が照射光４３により照射され、蛍光部材６０が発する蛍光の視認性を向上させることができる。
【００３２】
また、蛍光部材６０には蛍光塗料が塗布されているため、側面散乱光４２及び照射光４３により蛍光部材６０は蛍光を生じることができる。
【００３３】
また、ガードレール２０の視線誘導装置１００は発光装置１０を有しているため、視認性の良い視線誘導装置を得ることができる。
【００３４】
なお、この実施の形態１では導光樹脂線３０を３本設けていたが、導光樹脂線の本数は任意の数であってもよい。また、取付部材２３が３個設けられ、各取付部材２３には第１〜第９取付穴２４ａ〜２４ｉが各９個ずつ設けられていたが、取付部材及び取付穴の数は設計に応じて任意の数であってもよい。
【００３５】
また、この実施の形態１では光源としてブラックライト４０を用いていたが、これに代えて主に紫外線領域の光を発光する紫外線ＬＥＤを用いてもよい。また、可視光領域の光を発光するＬＥＤを用いてもよい。可視光領域の光を発光するＬＥＤを用いても紫外線領域の場合よりも輝度は低下するものの、蛍光部材６０は蛍光を発することができる。また、導光樹脂線３０の側面散乱光４２を肉眼で視ることが可能であるため、側面散乱光４２を直接視線誘導装置１００の誘導用の光として用いることができる。
【００３６】
実施の形態２．
次に、この発明の実施の形態２について説明する。実施の形態１ではガードレールに発光装置１０が設けられていたのに対して、この発明の実施の形態２では防護柵の支柱に発光装置が設けられている。尚、以下の実施の形態において、図１〜図５の参照符号と同一の符号は、同一または同様な構成要素であるので、その詳細な説明は省略する。
【００３７】
図６に示すように防護柵７３に視線誘導装置１０１が設けられている。防護柵７３は、道路の車道からの車両の転落を防止し、又は対向車線への車両のはみ出しを防止する等の目的で設けられる。防護柵７３は、路面に対して略垂直に設けられた円柱状のワイヤロープ支柱２５を有している。ワイヤロープ支柱２５は、５本のワイヤロープ２６を略等間隔に通す穴を有し、隣り合うワイヤロープ支柱２５との間にワイヤロープ２６を支持している。ワイヤロープ支柱２５とワイヤロープ２６とは、防護柵７３を構成している。なお、ワイヤロープ２６の本数や間隔は必要に応じ５本以外の任意の本数及び間隔であってもよい。
【００３８】
太陽電池モジュール５０はワイヤロープ支柱２５の上部に設けられている。太陽電池モジュール５０は図示しないバッテリに接続されている。バッテリは、図示しない点灯制御装置に接続されている。点灯制御装置は、ワイヤロープ支柱２５の上部に２個設けられたＬＥＤ４４に、図示しない配線により電気的に接続されている。また、点灯制御装置はＬＥＤ４４の点灯及び消灯の制御を行う。ＬＥＤ４４は主に可視光領域の波長の光を照射する。
【００３９】
ワイヤロープ支柱２５に取付けられた視線誘導装置１０１は、ＬＥＤ４４と導光樹脂線３０とから構成される発光装置１１を有している。導光樹脂線３０はワイヤロープ支柱２５の長手方向に沿うように、ワイヤロープ支柱２５の上部から下部に向けて並列に２本設けられている。
【００４０】
各導光樹脂線３０の一端部３１は、各ＬＥＤ４４からの光が照射可能であるようにＬＥＤ４４に近接して、ワイヤロープ支柱２５の上側に設けられている。各導光樹脂線３０の他端部３２は、ワイヤロープ支柱２５の下部に設けられている。導光樹脂線３０の他端部３２の下方には、輪状の蓄光部材６１がワイヤロープ支柱２５に取付けられている。
【００４１】
図７Ａはワイヤロープ支柱２５への導光樹脂線３０の取付状態を示す図であり、図７Ｂは図７Ａに記載された導光樹脂線３０を、２本の導光樹脂線３０の取付角度を見やすいようにガイド部材２８の側方から見た図である。ワイヤロープ支柱２５には、ＬＥＤ４４の下方であって２段目のワイヤロープ２６の上に配置された輪状固定部材２７と、該輪状固定部材２７に支持されワイヤロープ支柱２５の径方向に突出するガイド部材２８が取り付けられている。２本の導光樹脂線３０が、ガイド部材２８の上部ガイド２８ａ及び下部ガイド２８ｂを通り支持している。
【００４２】
図７Ｂに示すように、上部ガイド２８ａに対して下部ガイド２８ｂはワイヤロープ支柱２５により近い位置で各導光樹脂線３０を支持しているため、各導光樹脂線３０は一端部３１からワイヤロープ支柱２５に対し斜めに延び、下方に行くに従ってワイヤロープ支柱２５に接近するように配置されている。
【００４３】
図８を用いて、ガイド部材２８の詳細な形状を説明する。ガイド部材２８は、その長手方向に略水平に形成された上部ガイド２８ａと下部ガイド２８ｂとを有している。図８（ａ）は上部ガイド２８ａと下部ガイド２８ｂの側からガイド部材２８を見た斜視図であり、図８（ｂ）は図８（ａ）の逆側からガイド部材２８を見た斜視図である。ガイド部材２８の上部には上部フック２８ｅが形成されている。上部フック２８ｅを輪状固定部材２７（図７Ｂ参照）に掛けることでガイド部材２８は輪状固定部材２７に支持される。ガイド部材２８の側部に、側方に突出する側部フック２８ｆが形成されている。
【００４４】
上部ガイド２８ａには２個の上部穴２８ｃが形成され、下部ガイド２８ｂには２個の下部穴２８ｄが形成されている。上部穴２８ｃ及び下部穴２８ｄにそれぞれ導光樹脂線３０を通すことにより、ガイド部材２８に導光樹脂線３０が支持される。図７Ｂに示すようにワイヤロープ支柱２５にガイド部材２８を取付けたときに、上部穴２８ｃよりも下部穴２８ｄの方がワイヤロープ支柱２５に近接するような位置に上部穴２８ｃ及び下部穴２８ｄは配置されている。そのため、各導光樹脂線３０は上側よりも下側の方がワイヤロープ支柱２５に近接するように配置されている。
【００４５】
図９は、ワイヤロープ支柱２５へのガイド部材２８の取付状態を示す平面図である。図７Ａ及び図９に示すように側部フック２８ｆは、ワイヤロープ支柱２５に形成された切欠部２５ａに掛けられている。これによりガイド部材２８は、ワイヤロープ支柱２５の周方向に対して固定されている。
【００４６】
図１０は図６に示す発光装置１１を側方から見た図である。ガイド部材２８の下方において各導光樹脂線３０はワイヤロープ支柱２５と当接し、屈曲部３１ａを形成している。すなわち各導光樹脂線３０は、一端部３１から屈曲部３１ａまでは、ワイヤロープ支柱２５の長手方向に対して非平行に浅い角度を有して配置されている。また、各導光樹脂線３０は屈曲部３１ａから他端部３２までは、ワイヤロープ支柱２５に略平行に沿って配置されている。
【００４７】
ＬＥＤ４４から導光樹脂線３０の一端部３１に光が照射されたときに、他端部３２から照射される照射光４３ａが照射可能である位置に、蓄光部材６１が配置されている。蓄光部材６１は、蓄光剤を透明樹脂材料に混ぜて生成した蓄光樹脂塗料を塗布した樹脂部材である。蓄光樹脂塗料の蓄光剤は、主に可視光線領域の光を吸収し蓄光するため、蓄光部材６１は可視光線領域の光を蓄光し光が照射されていない時に発光する。
【００４８】
図１１は、防護柵７３の各ワイヤロープ支柱２５に発光装置１１を有する視線誘導装置１０１を設けた状態を示している。その他の構成は実施の形態１と同じである。
【００４９】
次に、実施の形態２に係る発光装置１１の動作について説明する。
図示しない点灯制御装置は照度センサ又はタイマ等により周囲が暗くなったことを検出すると、図１１に示すようにバッテリからＬＥＤ４４に電力を供給して、ＬＥＤ４４を点灯状態にする。実施の形態１で説明した通り、本発明の点灯状態は光源が点滅している状態を含んでいる。この実施の形態２においてＬＥＤ４４が点滅状態である場合、導光樹脂線３０の側面からは図示しない主に可視光領域の波長の側面散乱光が間欠的に照射され、また他端部３２からは主に可視光領域の波長の照射光４３ａが間欠的に蓄光部材６１に照射される。
【００５０】
蓄光部材６１はＬＥＤ４４の点滅により、照射光４３ａが照射されているときに蓄光し、照射光４３ａが照射されていないときに蓄光した光を発光する。これにより、ＬＥＤ４４が点滅することにより照射光４３ａが蓄光部材６１に照射されていないタイミングにおいても、略途切れなく蓄光部材６１が発光するため、ＬＥＤ４４の輝度を高くしなくても発光装置１１は十分に蓄光部材６１を発光させることができる。
【００５１】
また、導光樹脂線３０は他端部３２（図１０参照）においてワイヤロープ支柱２５に対し略平行に配置されている。このため、他端部３２は照射光４３ａを、蓄光部材６１の表面に対して略平行な方向に広範囲に放出して、蓄光部材６１を照射する。これにより、蓄光部材６１の蓄光される面積が広くなり、発光時の視認性が向上する。
【００５２】
さらに、ＬＥＤ４４の点滅により、導光樹脂線３０の側面から側面散乱光が間欠的に照射されるため、ワイヤロープ支柱２５に沿って広い発光範囲を得ることができ、視認性の高い視線誘導装置１０１を得ることができる。
【００５３】
このように、光源はＬＥＤ４４であって、蓄光部材６１は、蓄光塗料を有し、また、蓄光部材６１は、ＬＥＤ４４の発光する波長の光を蓄光するため、光源としてＬＥＤ４４を使用した場合であっても、ＬＥＤ４４の輝度を高くしなくとも十分な輝度で蓄光部材６１を発光させることができる。
【００５４】
また、導光樹脂線３０の他端部３２は、蓄光部材６１の表面に対して平行な方向に照射光４３ａを放出するため、蓄光部材６１の視認性を向上することができる。
【００５５】
また、防護柵７３の視線誘導装置１０１は発光装置１１を有しているため、視認性の良い視線誘導装置を得ることができる。
【００５６】
実施の形態３．
次に、この発明の実施の形態３について説明する。この実施の形態３は、実施の形態２に対して照射光４３ａをワイヤロープ支柱２５の直下の路面に照射するものである。
【００５７】
図１２に示すように、実施の形態２とは異なりワイヤロープ支柱２５には蓄光部材６１が取付けられていない。導光樹脂線３０の他端部３２から照射される照射光４３ａは、ワイヤロープ支柱２５の直下の路面に照射される。照射光４３ａが照射される被照射領域６２には、蓄光塗料により例えば進行方向を示す矢印等の路面標示６４が描画されている。路面標示６４は被照射物を構成している。その他の構成は実施の形態２と同じである。
【００５８】
この実施の形態３では、路面標示６４は照射光４３ａが照射されたときに蓄光し、照射光４３ａが照射されていないときに発光するため、より視認性の高い路面標示６４を有する視線誘導装置１０１を構成することができる。
【００５９】
なお、路面標示６４は蓄光塗料により描画された矢印に限定されるものではない。路面標示６４は例えば、蛍光塗料により描画されたものでもよく、また文字や記号等を描画したものであってもよい。これにより、例えば立入禁止区域等を示す所定のメッセージ等を通行者に視認させることができる。また、被照射領域６２に広範囲に蓄光塗料又は蛍光塗料を塗布してもよい。これにより、被照射領域６２の広い面積を発光させ、ＬＥＤ４４の点滅時の路面の視認性を向上させることができる。
【００６０】
なお、実施の形態２及び３においては１本のワイヤロープ支柱２５に対してＬＥＤ４４及び導光樹脂線３０を各２個設けていたが、１本のワイヤロープ支柱２５に対するＬＥＤ４４及び導光樹脂線の数は各１個でもよいし、各３個以上であってもよい。また、ＬＥＤ４４及び導光樹脂線３０の取付位置は、ＬＥＤ４４が導光樹脂線３０の一端部３１を照射可能な位置であれば適宜変更してもよい。
【００６１】
また、図１１及び図１２に示すように複数のワイヤロープ支柱２５に視線誘導装置１０１を設ける場合、各ワイヤロープ支柱２５毎にＬＥＤ４４と、導光樹脂線３０と、蓄光部材６１又は被照射領域６２とを設けるのではなく、複数本のワイヤロープ支柱２５につき一本のワイヤロープ支柱２５に対してＬＥＤ４４と、導光樹脂線３０と、蓄光部材６１又は被照射領域６２とを設けてもよい。
【００６２】
実施の形態４．
次に、この発明の実施の形態４について説明する。実施の形態４はスノーポールに発光装置を設けたものである。
図１３に示すように、スノーポール２９に視線誘導装置１０２が設けられている。視線誘導装置１０２には、ＬＥＤ４４及び導光樹脂線３０を有する発光装置１２が設けられている。また、スノーポール２９の最上部には図示しないバッテリに接続されている太陽電池モジュール５０が設けられている。
【００６３】
スノーポール２９の長手方向に沿うように、スノーポール２９の上部から下部に向けて２本の導光樹脂線３０が並列に設けられている。スノーポール２９の上部にはＬＥＤ４４が設けられている。ＬＥＤ４４からの光が照射可能であるように、導光樹脂線３０の一端部３１はＬＥＤ４４に近接して、スノーポールの上側に設けられている。導光樹脂線３０の他端部３２は、スノーポール２９の下部に設けられている。導光樹脂線３０の下側には、輪状の蓄光部材６１が取付けられている。蓄光部材６１は、他端部３２からの照射光４２ａに照射されることができるように形成されている。
【００６４】
図１４Ａは、スノーポール２９の上部におけるＬＥＤ４４及び導光樹脂線３０の取付状態を示している。スノーポール２９の上端に、板材を折り曲げ加工して形成され上部と下部とを有する取付部材５１が取付けられている。取付部材５１の上部、すなわちスノーポール２９の最上部に太陽電池モジュール５０が取付けられている。ＬＥＤ４４は取付部材５１の下部に取付けられている。各導光樹脂線３０の一端部３１が、取付部材５１の下部を貫通してＬＥＤ４４に取付けられている。
【００６５】
図１４Ｂは、スノーポール２９の中央部におけるガイド部材２８及び導光樹脂線３０の取付状態を示している。スノーポール２９の中央部に輪状固定部材２７が取付けられている。ガイド部材２８の上部フック２８ｅが、輪状固定部材２７に取付けられている。これにより、ガイド部材２８がスノーポール２９に取付けられている。
【００６６】
ガイド部材２８の上部ガイド２８ａに２個の上部穴２８ｃが設けられ、下部ガイド２８ｂに２個の下部穴２８ｇが形成されている。上部穴２８ｃ及び下部穴２８ｇにそれぞれ導光樹脂線３０を通すことにより、ガイド部材２８に導光樹脂線３０が支持される。実施の形態２のガイド部材２８（図８参照）と異なり、この実施の形態４では上部穴２８ｃ及び下部穴２８ｇはスノーポール２９に対して同じ距離に設けられている。そのため、各導光樹脂線３０はスノーポール２９の長手方向に対して略平行に取り付けられている。その他の構成は実施の形態２と同じである。
【００６７】
次に、この実施の形態４に係る発光装置１２の動作について説明する。発光装置１２の導光樹脂線３０は、スノーポール２９の長手方向に対して略平行に取り付けられている。このため、他端部３２は照射光４３ａを、蓄光部材６１の表面に対して略平行な方向に広範囲に放出して、蓄光部材６１を照射する。これにより、蓄光部材６１の蓄光される面積が広くなり、発光時の視認性が向上する。
【００６８】
また、照射光４３ａの一部はスノーポール２９の直下の路面に照射される。そのため、非積雪時には直下の路面が被照射領域となり、直下の路面に蓄光塗料又は蛍光塗料等を塗布しておくことで視認性の高い視線誘導装置を得ることができる。
【００６９】
図１５は、この実施の形態４に係るスノーポール２９の設置例を示す図である。積雪時には、照射光４３ａの一部はスノーポール２９の直下の積雪表面６５に照射される。これにより、スノーポール２９直下の積雪表面６５が被照射領域６２となり照射光４２ａを反射する。そのため、積雪時には通行者が被照射領域６２における照射光４２ａの反射光を視認することで、積雪の表面の高さ及び積雪量を認識することができる。
【００７０】
実施の形態５．
次に、この発明の実施の形態５について説明する。実施の形態５に係る発明は、壁高欄に発光装置を設けたものである。
図１６に示すように、高速道路等の側壁７０の壁高欄７１に、太陽電池モジュール５０と、視線誘導装置１０３が設けられている。視線誘導装置１０３には、導光樹脂線３０とＬＥＤ４４とから構成される発光装置１３が設けられている。太陽電池モジュール５０は、図示しないバッテリに接続されている。
【００７１】
導光樹脂線は、壁高欄７１の長手方向に沿って設けられている。また、ＬＥＤ４４からの光が照射可能であるように、導光樹脂線３０の一端部３１はＬＥＤ４４に近接して設けられている。また壁高欄７１の、導光樹脂線３０の他端部３２の近傍には、樹脂シートに蓄光塗料を塗布した蓄光部材６３が設けられている。蓄光部材６３は被照射物を構成している。
【００７２】
導光樹脂線３０は壁高欄７１の長手方向に対して非平行に、浅い角度を有して配置され、且つ一端部３１よりも他端部３２の方が壁高欄７１の表面に近くなるように取り付けられている。これにより、照射光４３ａは蓄光部材６３を浅い角度で広範囲に照射する。これにより、蓄光部材６３の蓄光される面積が広くなり、発光時の視認性が向上する。その他の構成は実施の形態２と同じである。
【００７３】
発光装置１３を壁高欄７１に設けることで、視認性の高い視線誘導装置１０３を得ることができる。
【００７４】
なお、この発明の実施の形態１では光源としてブラックライト４０を用い、被照射物として蛍光部材６０を用いていたが、ブラックライト４０に代えて実施の形態２〜５のように主に可視光領域の光を発光するＬＥＤ４４を用い、蛍光部材６０に代えて蓄光部材６１，６３を用いてもよい。これによりＬＥＤの点滅により発光していない時間においても、蓄光部材が蓄光によって発光するために、略途切れなく発光し視認性の高い視線誘導装置を得ることができる。また、光源として赤外線ＬＥＤ又は紫外線ＬＥＤ等の可視光領域以外の光を発光するＬＥＤ４４を用いてもよい。
【００７５】
また、この発明の実施の形態２〜５では、光源としてＬＥＤ４４を用い、被照射物として蓄光部材６１，６３を用いていたが、ＬＥＤ４４に代えて実施の形態１のように主に紫外線領域の光を発光するブラックライト４０を用い、蓄光部材６１，６３に代えて蛍光部材６０を用いてもよい。これにより、ブラックライト４０の点灯時に蛍光部材６０が輝度の高い蛍光を発光し、視認性の高い視線誘導装置を得ることができる。
【００７６】
また、この発明の実施の形態１〜５において、被照射物として蛍光塗料と蓄光塗料との両方を塗布した蓄光蛍光塗料を用いてもよい。これにより、光源がブラックライト４０又はＬＥＤ４４のいずれであっても、被照射物が発光し視認性の高い視線誘導装置を得ることができる。
【００７７】
また、この発明の実施の形態１では導光樹脂線３０は、蛍光部材６０の表面に対して非平行に、浅い角度を有して配置され、この発明の実施の形態５では導光樹脂線３０は蓄光部材６３の表面に対して非平行に、浅い角度を有して配置されていたが、導光樹脂線３０は、蛍光部材６０の表面又は蓄光部材６１，６３の表面に対して略平行に設けられていてもよい。これにより、視線誘導装置の構成が簡単になり工数を削減することができる。
【００７８】
また、この発明の実施の形態２では導光樹脂線３０はワイヤロープ支柱２５に対して略平行に配置されていたが、導光樹脂線３０はワイヤロープ支柱２５に対して角度を有して配置されてもよい。また、実施の形態４では導光樹脂線３０はスノーポール２９に対して略平行に配置されていたが、導光樹脂線３０はスノーポール２９に対して角度を有して配置されてもよい。
【００７９】
また、この発明の実施の形態２〜５では、蓄光部材６１，６３を有する発光装置１１〜１３を防護柵７３、スノーポール２９、壁高欄７１等の屋外に設置する構造物に設けていたが、屋内誘導灯として設けてもよい。これにより、停電時等に電力の供給がなくとも蓄光部材６１，６３の発光により室内の人間を誘導することができる。
【００８０】
また、この発明の実施の形態１〜５に係る発明の発光装置１０，１１，１２，１３を通行者の視線誘導又は通行者の誘導等の目的ではなく、イルミネーション等の美観を生ずる用途に用いてもよい。
【００８１】
実施の形態６．
次に、この発明の実施の形態６について説明する。実施の形態６に係る発明は、実施の形態２の発光装置を用いた非破壊検査方法の発明である。
図１７に示すように、非破壊検査装置２００には、ブラックライト４０と、導光樹脂線３０とを有する発光装置１０ａが設けられている。また、非破壊検査装置２００には、導光樹脂線３０と並列に、ＣＣＤカメラ９０と、ケーブル９１とが設けられている。ケーブル９１は、ＣＣＤカメラ９０の撮影した画像を表示する表示装置９２に接続されている。なお、この実施の形態６ではＣＣＤカメラ９０を用いているが、他の種類のカメラを用いてもよい。
【００８２】
導光樹脂線３０及びＣＣＤカメラ９０は、管路８０の内部に挿入されている。管路８０の内壁である管路内壁８１が、実施の形態６に係る発明を用いる非破壊検査の対象である。管路内壁８１には、あらかじめ紫外線領域の光が照射されると発光する蛍光塗料が塗布されている。管路内壁８１は検査対象物を構成している。ブラックライト４０が点灯すると、光が導光樹脂線３０の一端部３１から他端部３２に到達し、紫外線領域の照射光４３が照射される。また、この実施の形態６においてはブラックライト４０の点灯とは、点滅ではなく連続的に点灯することをいう。
【００８３】
ＣＣＤカメラ９０は、管路内壁８１のうち照射光４３が照射された箇所である照射部８２の映像を撮影する。撮影された照射部８２の映像は表示装置９２に表示される。これにより、作業者は管路内壁８１を直接目視することなく、照射部８２の状態を確認することができる。照射光４３は紫外線領域の光であるため、蛍光塗料があらかじめ塗布された管路内壁８１の照射部８２において傷等の欠陥がある場合には、蛍光塗料による蛍光により傷等の欠陥が判別しやすくなる。
【００８４】
このように、発光装置１０ａを備え、管路内壁８１は検査対象物であって、他端部３２から管路内壁８１に照射光を照射し、管路内壁８１を観察することで管路内壁８１の状態を検査することができる。
【００８５】
また、この実施の形態６では光源としてブラックライト４０を用い、管路内壁８１に蛍光塗料を塗布していたが、ブラックライト４０に代えて可視光領域の光を発光するＬＥＤを用い、管路内壁に蛍光塗料に代えて蓄光塗料を塗布してもよい。これにより、ブラックライト４０を光源として用いる場合と同様に傷等の欠陥が判別しやすくなる。また、管路内壁８１に蛍光塗料を塗布せずに、ブラックライト４０の光のみを用いても、管路内壁８１の傷等が判別できる。
【符号の説明】
【００８６】
１０，１０ａ，１１，１２，１３  発光装置、３０  導光樹脂線（線状発光体）、３１  一端部、３２  他端部、３５  側面部、４０  ブラックライト（光源）、４１  光、４２  側面散乱光、４３，４３ａ  照射光、４４  ＬＥＤ（光源）、６０  蛍光部材（被照射物）、６１，６３  蓄光部材（被照射物）、６２  被照射領域（被照射物）、６４  路面標示（被照射物）、８１  管路内壁（検査対象物）、１００，１０１，１０２，１０３  視線誘導装置、２００  非破壊検査装置。
【図１】
2020198267.tif 000003
【図２】
2020198267.tif 000004
【図３】
2020198267.tif 000005
【図４】
2020198267.tif 000006
【図５】
2020198267.tif 000007
【図６】
2020198267.tif 000008
【図７Ａ】
2020198267.tif 000009
【図７Ｂ】
2020198267.tif 000010
【図８】
2020198267.tif 000011
【図９】
2020198267.tif 000012
【図１０】
2020198267.tif 000013
【図１１】
2020198267.tif 000014
【図１２】
2020198267.tif 000015
【図１３】
2020198267.tif 000016
【図１４Ａ】
2020198267.tif 000017
【図１４Ｂ】
2020198267.tif 000018
【図１５】
2020198267.tif 000019
【図１６】
2020198267.tif 000020
【図１７】
2020198267.tif 000021